【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
眼科用レーザーシステムであって：
レーザーパルスのレーザービームを発生させるレーザー源と；
Ｚ軸に対して横方向に該レーザービームをスキャンするＸＹスキャナと；
該Ｚ軸に沿って該レーザービームをスキャンするＺスキャナであって、
該Ｚ軸に沿った該レーザービームの連続スキャンを提供する連続Ｚスキャナと；
該Ｚ軸に沿った該レーザービームの増分スキャンを提供する増分Ｚスキャナであって、レーザービーム路の内外で位置決めされることができる１つ以上の可変ステージを有している増分Ｚスキャナと
を含むＺスキャナと
を備える、眼科用レーザーシステム。
【請求項２】
前記増分Ｚスキャナは、増分的にＺステップずつ当該眼科用レーザーシステムの焦点深度をＺスキャンするように構成されており；
前記連続Ｚスキャナは、該Ｚステップに対応する連続スキャン範囲で連続的に当該眼科用レーザーシステムの焦点深度をＺスキャンするように構成されている、
請求項１に記載の眼科用レーザーシステム。
【請求項３】
前記Ｚスキャナは、連続スキャン範囲が１つ以上のＺステップよりも大きくなるように構成されており、これにより
焦点深度が前記連続ＺスキャナでＺスキャンされることができる連続スキャン範囲が、隣接するＺステップにおいてオーバラップし；
当該眼科用レーザーシステムのオペレータが、準連続的なＺスキャン範囲において焦点深度をＺスキャンすることができる、
請求項２に記載の眼科用レーザーシステム。
【請求項４】
全Ｚスキャン範囲が、０〜５ｍｍ、５〜１０ｍｍ、１０〜３０ｍｍ、及び０〜１５ｍｍの範囲のうちの１範囲内の長さを有する、
請求項３に記載の眼科用レーザーシステム。
【請求項５】
前記増分Ｚスキャナは、
焦点深度を角膜Ｚレベルにセットすることができ、外科医が該角膜Ｚレベル周辺において連続スキャン範囲で角膜眼科処置を施すのを可能にし；且つ、
焦点深度を１つ以上の水晶体Ｚレベルにセットすることができ、外科医が該１つ以上の水晶体Ｚレベル周辺において連続スキャン範囲で水晶体眼科処置を施すのを可能にする、
請求項２に記載の眼科用レーザーシステム。
【請求項６】
前記Ｚスキャナは、ターゲット領域内で閾値よりも良好な前記レーザービームの収差を保つように構成されている、
請求項１に記載の眼科用レーザーシステム。
【請求項７】
当該眼科用レーザーシステムの収差はストレールレシオＳによって特徴づけられることができ；
該ストレールレシオＳは、前記ターゲット領域内で閾値Ｓ(threshold)よりも高く；
Ｓ(threshold)は、０．６，０．７，０．８及び０．９の値のうちの１つである、
請求項６に記載の眼科用レーザーシステム。
【請求項８】
前記ストレールレシオＳは、前記ターゲット領域内の５つの基準点のうちの１つ以上の点でＳ(threshold)よりも高く、
該５つの基準点は、全てミリメートル単位において、該ターゲット領域内におけるこれらの円柱座標（ｚ，ｒ）によって、（０，０）にある該ターゲット領域の前方中心に対して、任意のアジマス角φのＰ１＝（０，０）、Ｐ２＝（２，６）、Ｐ３＝（５，０）、Ｐ４＝（８，０）、Ｐ５＝（８，３）として決定されている、
請求項７に記載の眼科用レーザーシステム。
【請求項９】
当該眼科用レーザーシステムの収差は、焦点スポット半径ｒfによって特徴づけられることができ；
該焦点スポット半径ｒfは、前記ターゲット領域内で閾値ｒf(threshold)よりも小さく、
ｒf(threshold)は、２，３，４，５及び６マイクロメートルのうちの１つである、
請求項６に記載の眼科用レーザーシステム。
【請求項１０】
前記焦点スポット半径ｒfは、前記ターゲット領域内の５つの基準点のうちの１つ以上の点でｒf(threshold)よりも小さく、
該５つの基準点は、全てミリメートル単位において、該ターゲット領域内におけるこれらの円柱座標（ｚ，ｒ）によって、（０，０）にある該ターゲット領域の前方中心に対して、任意のアジマス角φのＰ１＝（０，０）、Ｐ２＝（２，６）、Ｐ３＝（５，０）、Ｐ４＝（８，０）、Ｐ５＝（８，３）として決定されている、
請求項９に記載の眼科用レーザーシステム。
【請求項１１】
前記収差が球面収差、コマ収差、非点収差、及び色収差のうちの１つである、
請求項６に記載の眼科用レーザーシステム。
【請求項１２】
前記可変ステージは、予め定められたＺステップで前記レーザービームの焦点深度を動かす一連の形態において位置決めされることができる、
請求項１に記載の眼科用レーザーシステム。
【請求項１３】
種々異なる可変ステージが、種々異なる２の累乗で乗算された基本Ｚステップ長に比例して焦点深度を動かすように構成されている、
請求項１に記載の眼科用レーザーシステム。
【請求項１４】
前記可変ステージの数は、１，２，３及び４のうちの１つである、
請求項１３に記載の眼科用レーザーシステム。
【請求項１５】
前記レーザービーム路内で、機械的スライダ、機械的アクチュエータ、回転アーム、及び電気機械的装置のうちの少なくとも１つによって、可変ステージを動かすことができる、
請求項１に記載の眼科用レーザーシステム。
【請求項１６】
前記連続Ｚスキャナは前記レーザー源と前記ＸＹスキャナとの間に位置決めされており；
前記増分Ｚスキャナは、レーザービーム路内で前記ＸＹスキャナの後に位置決めされている、
請求項１に記載の眼科用レーザーシステム。
【請求項１７】
前記連続Ｚスキャナはレーザービーム路内で前記ＸＹスキャナの後に位置決めされている、
請求項１に記載の眼科用レーザーシステム。
【請求項１８】
前記連続Ｚスキャナは、前記レーザー源と前記ＸＹスキャナとの間に位置決めされた第１ブロックと、レーザービーム路内で該ＸＹスキャナの後に位置決めされた第２ブロックとを備える、
請求項１に記載の眼科用レーザーシステム。
【請求項１９】
レーザービームのスキャン方法であって、
レーザー源によってレーザービームを発生させるステップと；
連続Ｚスキャナによって該レーザービームの焦点深度をＺスキャンするステップと；
増分Ｚスキャナの１つ以上の可変ステージをレーザービーム路内に位置決めすることによって、該増分Ｚスキャナによって該レーザービームの焦点深度をＺスキャンするステップと
を含む、レーザービームのスキャン方法。
【請求項２０】
前記増分Ｚスキャナによる前記Ｚスキャンは、増分Ｚステップで焦点深度をＺスキャンすることを含み；
前記連続Ｚスキャナによる前記Ｚスキャンは、該増分Ｚステップに対応する連続スキャン範囲で焦点深度をＺスキャンすることを含む、
請求項１９に記載のレーザービームのスキャン方法。
【請求項２１】
前記連続スキャン範囲のうちの１つ以上の範囲が前記Ｚステップよりも大きく、これにより
焦点深度が前記連続ＺスキャナでＺスキャンされることができる前記連続スキャン範囲が、隣接するＺステップにおいてオーバラップし；
眼科用レーザーシステムのオペレータが、準連続的なＺスキャン範囲において焦点深度をＺスキャンすることができる、
請求項２０に記載の方法。
【請求項２２】
前記増分Ｚスキャナを角膜Ｚレベルにセットし；
前記連続Ｚスキャナで焦点深度をＺスキャンすることによって、角膜手術処置を施すことと；
前記増分Ｚスキャナを１つ以上の水晶体レベルにセットし；
前記連続Ｚスキャナで焦点深度をＺスキャンすることによって、水晶体手術処置を施すことと
を含む、請求項２０に記載の方法。
【請求項２３】
前記増分ＺスキャナによるＺスキャンの前記ステップは：
予め定められたＺ増分で焦点深度をＺスキャンする一連の形態において前記可変ステージを位置決めする
ことを含む、請求項１９に記載の方法。
【請求項２４】
前記増分ＺスキャナによるＺスキャンの前記ステップは：
前記レーザービーム路の内外で種々異なる可変ステージを動かすことにより、種々異なる２の累乗で乗算された基本Ｚステップに比例して焦点深度を動かす
ことを含む、請求項１９に記載の方法。
【請求項２５】
焦点深度のＺスキャンは：
前記連続Ｚスキャナで焦点深度を、第１連続スキャン範囲の最大値の近くの焦点深度までＺスキャンし；
前記増分Ｚスキャナによって増分Ｚステップで焦点深度を増大させ；
該連続Ｚスキャナを、第２連続スキャン範囲の最小値の近くにリセットし；且つ
該第２連続スキャン範囲内で焦点深度をＺスキャンする
ことを含む、請求項１９に記載の方法。